(57)【要約】【課題】  複数の照明装置を使用しても、使用感を損なうことがない洗面化粧台を提供することである。【解決手段】  カラン吐水口２７方向を照射するための第１の照明装置２２と、本体キャビネット２又はミラーキャビネット３の内部を照射するための第２の照明装置２３と、給水管７の経路に照明装置２２、２３に電力を供給するための水力発電ユニット６と、を備えた洗面化粧台１において、制御部５２、５３を備え、制御部５２、５３は、水力発電ユニット６が発電した電力を第１の照明装置２２又は第２の照明装置２３のどちらか一方の照明装置を点灯又は両方の照明装置を消灯させるための切替動作をするものである。【選択図】図１
2006006370.tif 000002
【特許請求の範囲】
【請求項１】
カランを有する本体キャビネットと、該本体キャビネットの上部に設けられたミラーキャビネットと、前記本体キャビネットと該ミラーキャビネットとの間に配設される連結部材と、を設けてなる洗面化粧台あって、カラン吐水口方向を照射するための第１の照明装置と、前記本体キャビネット又は前記ミラーキャビネットの内部を照射するための第２の照明装置と、給水管の経路に前記照明装置に電力を供給するための水力発電ユニットと、を備えた洗面化粧台において、
制御部を備え、該制御部は、前記水力発電ユニットが発電した電力を前記第１の照明装置又は前記第２の照明装置のどちらか一方の照明装置を点灯又は両方の照明装置を消灯させるための切替動作をするものである洗面化粧台。
【請求項２】
前記制御部は、前記ミラーキャビネット又は前記本体キャビネットに該ミラーキャビネット又は該本体キャビネット開き戸の開閉を検知する扉開閉検知スイッチと、人体検知センサと、照度センサと、備え、前記扉開閉検知スイッチが扉の開を検知した場合は前記第２の照明装置のみを点灯するように切替動作し、前記扉開閉検知スイッチが扉の閉を検知した場合は人体検知センサ及び照度センサのセンシングに基づき前記第１の照明装置を点灯又は消灯するように切替動作をするものであることを特徴とする請求項１記載の洗面化粧台。
【発明の詳細な説明】
【技術分野】
【０００１】
本発明は、本体キャビネットの上部にミラーキャビネットを備えた洗面化粧台に関するものである。
【背景技術】
【０００２】
洗面化粧台ではないが、従来から、ＬＥＤ発光装置を吐水装置に備え付け、給水管の途中に水力発電ユニットを備えたものがあり、例えば、特開２００１−２２７０１１号公報に記載されているものがある。この吐水装置１０１は、キッチンに設置され、図５に示すように、カウンター１１０及びシンク１１２が設けられている。吐水装置１０１は、カウンター１１０から起立する状態で位置固定に設けられ、吐水装置１０１の先端部を構成する吐水ヘッド１１８を有している。
【０００３】
吐水ヘッド１１８は、その下面の中心部に一本の整流束として出水する整流出水口１２４と、その周りにシャワー状に出水するシャワー出水口１２６とを有している。またその前面には、吐水を整流吐水からシャワー吐水に若しくはその逆に切り替えるための切替操作部１２８が設けられている。
【０００４】
吐水ヘッド１１８の下面且つ整流出水口１２４及びシャワー出水口１２６周りに複数（この例では４個）のＬＥＤ（発光ダイオード）１３０が下向きに設けられている。出水口１２４、１２６への水（混合水）の流通経路上に、羽根車（図示せず）を水流の勢いで回転させて発電を行う水力発電ユニット１３４が設けられており、そこで発生した電力が蓄電手段としての蓄電部（二次電池）に蓄えられ、これを電源としてＬＥＤ１３０が発光するようになっている。
【０００５】
ＬＥＤ発光装置は、商用電源を用いた従来の照明装置等の発光装置のように電気配線工事を含む大掛りな電源供給工事を行う必要がなく、取付施工が極めて簡単である利点を有する。更にまた乾電池を電源として用いた場合のように定期的且つ頻繁に電池交換を行わなければならないといった問題も生じないものである。
【０００６】
しかしながら、一般的に、給水管に取付けられる家庭用の水力発電は発電量が限られており、洗面化粧台のように、吐水ヘッド（カラン）用の照明装置以外に別の照明装置、例えば、ミラーキャビネット内部を照射するための照明装置を併用して使用した場合、照明装置に供給する電力が足らなくなり、照明装置が消えたり、暗くなったりする場合があった。
【特許文献１】特開２００１−２２７０１１号公報
【発明の開示】
【発明が解決しようとする課題】
【０００７】
本願発明は、上記背景技術に鑑みて発明されたものであり、その課題は、複数の照明装置を使用しても、使用感を損なうことがない洗面化粧台を提供することである。
【課題を解決するための手段】
【０００８】
上記課題を解決するために、本願発明は、カランを有する本体キャビネットと、該本体キャビネットの上部に設けられたミラーキャビネットと、前記本体キャビネットと該ミラーキャビネットとの間に配設される連結部材と、を設けてなる洗面化粧台あって、カラン吐水口方向を照射するための第１の照明装置と、前記本体キャビネット又は前記ミラーキャビネットの内部を照射するための第２の照明装置と、給水管の経路に前記照明装置に電力を供給するための水力発電ユニットと、を備えた洗面化粧台において、制御部を備え、該制御部は、前記水力発電ユニットが発電した電力を前記第１の照明装置又は前記第２の照明装置のどちらか一方の照明装置を点灯又は両方の照明装置を消灯させるための切替動作をするものである。
【０００９】
また、前記制御部は、前記ミラーキャビネット又は前記本体キャビネットに該ミラーキャビネット又は該本体キャビネット開き戸の開閉を検知する扉開閉検知スイッチと、人体検知センサと、照度センサと、備え、前記扉開閉検知スイッチが扉の開を検知した場合は前記第２の照明装置のみを点灯するように切替動作し、前記扉開閉検知スイッチが扉の閉を検知した場合は人体検知センサ及び照度センサのセンシングに基づき前記第１の照明装置を点灯又は消灯するように切替動作をするものであることが好ましい。
【発明の効果】
【００１０】
本願発明の洗面化粧台によれば、制御部は、第１の照明装置と第２の照明装置のどちらか一方の照明装置を点灯又は両方の照明装置を消灯させるための切替動作を行うので、照明装置に供給する電力が足らなくなり、照明装置が消えたり、暗くなったりする場合が少なくなる。
【００１１】
また、前記ミラーキャビネット又は前記本体キャビネットに該ミラーキャビネット又は該本体キャビネット開き戸の開閉を検知するセンサを設けるので、センサにより前記ミラーキャビネット又は前記本体キャビネットの開閉を検出し、制御部が第１の照明装置と第２の照明装置のどちらか一方の照明装置を点灯又は両方の照明装置を消灯させるための切替動作をするので、照明装置に供給する電力が足らなくなり、照明装置が消えたり、暗くなったりする場合が少なくなる。
【発明を実施するための最良の形態】
【００１２】
本願の実施形態の洗面化粧台１を図１から図４に基づいて説明する。図１は本願の一実施の形態の洗面化粧台１の概略構成を示す斜視図、図２は同上の概略回路図、図３は同上の回路図、図４（ａ）は、同上の第１の照明装置が点灯している場合の構造を示す側断面図、（ｂ）は同上の第２の照明装置が点灯している場合の構造を示す側断面図である。この実施の形態の洗面化粧台１は、カラン２６を有する本体キャビネット２と、本体キャビネット２の上部に設けられたミラーキャビネット３と、本体キャビネット２とミラーキャビネット３との間に配設される連結部材４と、を設けてなる洗面化粧台１あって、カラン吐水口２７方向を照射するための第１の照明装置２２と、本体キャビネット２又はミラーキャビネット３の内部を照射するための第２の照明装置２３と、給水管７の経路に照明装置２２、２３に電力を供給するための水力発電ユニット６と、を備えた洗面化粧台１において、制御部を備え、制御部は、水力発電ユニット６が発電した電力を前第１の照明装置２２又は第２の照明装置２３のどちらか一方の照明装置を点灯又は両方の照明装置を消灯させるための切替動作をするものである。
【００１３】
本体キャビネット２は、例えば、その上面に設置固定されたカウンター２５と、このカウンター２５より低い位置の上面略全域にわたる大きさの洗面ボウル２４とが一体に形成されている。洗面ボウル２４の後側内壁面の中程には、カラン２６とカラン２６からの吐水量を調節する操作栓２８とが並べて突設されている。洗面ボウル２４の下方には、一対の本体キャビネット開き戸２１が開閉自在に付設され、その内部は、収納スペース２９が形成されている。
【００１４】
第１の照明装置２２は、例えば、ＬＥＤであり、図４（ａ）に示すように、カラン２６の洗面ボウル２４側に設けられ、カラン吐出口２７方向を照射できるようになっている。
【００１５】
第２の照明装置２３は、例えば、ＬＥＤであり、図４（ｂ）に示すように、収納スペース２９側内の水力発電ユニット６のケース上に設けられ、図示はしないが、水力発電ユニット６が発電した電力が配線を介して供給されている。
【００１６】
収納スペース２９は、カラン２６か給水するための給水管７が配管されている。また、後述する水力発電ユニット６が給水管７上に設けられている。また、水力発電ユニット６が発電した電力は、図２に示すように、制御回路１０、蓄電部８、扉開閉検知スイッチ５２、後述する人体検知センサ及び照度センサ５３、を介して配線９により第１の照明装置２２に供給されている。また、制御回路１０、蓄電部８、扉開閉検知スイッチ５２、を介して配線９により第１の照明装置２３に接続されている。
【００１７】
なお、この場合は、扉開閉検知スイッチ５２と、人体検知センサ及び照度センサ５３と、での制御部を形成している。
【００１８】
扉開閉検知スイッチ５２は、例えば、本体キャビネット２に取り付けられ、本体キャビネット開き戸２１が開かれるとスイッチが第２の照明装置２３を点灯するように切り替えられ、本体キャビネット開き戸２１が閉められると、第２の照明装置２３が消灯するように切り替えられるものである。
【００１９】
人体検知センサ及び照度センサ５３は、赤外線を感知する人体検知センサ及び周囲の照度を検知する照度センサを有し、例えば、カラン２６近くのカウンター２５に取付けられ、洗面化粧台１の使用者（以降、洗面化粧台１の使用者を使用者と呼称）がカラン２６を使用する場合、人体検知センサが手などから発生する赤外線を感知し、更に、照度センサが周囲の照度を感知し、照度が所定の照度以下の場合は、第１の照明装置２２を点灯させるように切り替えられるものである。
【００２０】
なお、制御回路１０は、例えば、図３に示すように、ダイオードブリッジと、コンデンサと、定電圧ダイオードから構成され、水力発電ユニット６が発生した交流電圧を所定の直流電圧に変換するものである。
【００２１】
ミラーキャビネット３は、枠材前方に固着された３枚構成の板状の鏡３２の上部には、この鏡３２前方を照射するよう設けられた蛍光灯点灯装置３１を備えている。
【００２２】
連結部材４は、上記ミラーキャビネット３設置位置の高さ調節が調節できるもので、この場合、図示はしないが、木材による角材を四角状に組み合わせた連結枠と、この連結枠に装着される合成樹脂製で板状のカバー体とを備えている。このカバー体の両側には、前記連結枠の縦枠に形成されている固着孔に挿入されて、前記カバー体を着脱自在とする固着突起が、その背面側に複数突設されている。また、前記連結枠の横枠には、その裏面側に配線の配設される配線溝が刻設されている。
【００２３】
水力発電ユニット６は、例えば、流通経路上に設けられ、羽根車を水流の勢いで回転させて発電を行うものである。そこで発生した電力が蓄電手段として、例えば、蓄電池を備えた蓄電部８（例えば、二次電池）に蓄えられ、これを電源として第１の照明装置２２又は、第２の照明装置２３を点灯するようになっている。
【００２４】
次に、この洗面化粧台１の第１の照明装置２２又は第２の照明装置２３のどちらか一方の照明装置を点灯又は両方の照明装置を消灯させるための切替動作について、図２、図３を用いて説明する。
【００２５】
最初に、使用者が本体キャビネット開き戸２１を開けた場合は、扉開閉検知スイッチ５２が第２の照明装置２３を点灯するように開時の方へ切り替える。
【００２６】
すなわち、蓄電部８に蓄えられている電力が第２の照明装置２３に供給され、照明装置が点灯する。
【００２７】
そして、使用者が本体キャビネット開き戸２１を閉めた場合は、扉開閉検知スイッチ５２が第１の照明装置２２を点灯するように閉時の方へ切り替える。この場合、図２、図３に示すように、第１の照明装置２２と扉開閉検知スイッチ５２との間に人体検知センサ及び照度センサ５３が設けられている。従って、人体検知センサ及び照度センサ５３が使用者の手等から発生する赤外線を感知しない場合、又は、照度センサが周囲の照度を感知し、照度が所定の照度以上の場合は、第１の照明装置２２は点灯しないようになっている。
【００２８】
次に、使用者が、給水を行うために操作栓２８を操作しカラン２６のカラン吐水口２７より水（お湯）を吐出させる場合は、カラン２６近くのカウンター２５に取付けられた人体検知センサ及び照度センサ５３の人体検知センサが使用者の手の赤外線を感知する。この場合、照度が所定の照度以下なら、第１の照明装置２２を点灯させる。このとき、カラン吐水口２７より水（お湯）を吐出させることにより給水管７の経路に設けられた水力発電ユニットが発電を行う。この発電された電力は、制御回路１０を介して蓄電部８に蓄電される。
【００２９】
すなわち、洗面化粧台１の制御部は、使用者が、本体キャビネット２を使用場合は、第２の照明装置２３が点灯し、第１の照明装置２２は消灯するように切替動作し、使用者が、カラン２６を使用した場合は、第２の照明装置２３が消灯し、第１の照明装置２２は、人体検知センサ及び照度センサ５３のセンシングにより点灯又は消灯の切替動作を行なうものである。
【００３０】
このように構成された洗面化粧台１は、第１の照明装置２２と第２の照明装置２３のどちらか一方の照明装置を点灯又は両方の照明装置を消灯させるための切替動作を行うので、第１の照明装置２２及び第２の照明装置２３の両方が点灯することがなく、照明装置に供給する電力が足らなくなり、照明装置が消えたり、暗くなったりする場合が少なくなる。
【００３１】
また、ミラーキャビネット３又は本体キャビネット２にミラーキャビネット３又は本体キャビネット開き戸２１の開閉を検知する扉開閉検知スイッチ５２を設けるので、センサにより前記ミラーキャビネット又は前記本体キャビネットの開閉を検出し、制御部が第１の照明装置と第２の照明装置のどちらか一方の照明装置を点灯又は両方の照明装置を消灯させるためのさせるための切替動作をするので、照明装置に供給する電力が足らなくなり、照明装置が消えたり、暗くなったりする場合が少なくなる。
【００３２】
また、人体検知センサ及び照度センサ５３が、使用者手などから発生する赤外線を感知し、更に、照度センサが、周囲の照度が感知して、第１の照明装置２２の点灯を制御しているので、周囲の照度が所定以上の場合は、第１の照明装置２２が点灯しないので、蓄電部８に水力発電ユニット６が発生した電力を充電することができる。
【００３３】
なお、洗面化粧台１に水力発電ユニット６を用いない場合、図示はしないが、例えば、蓄電部８の代わりに電池を用いてもよく、この場合は、図２、図３で示す制御回路１０は必要なくなる。また、前記電池を使用した場合の動作、作用、効果は、前述した実施形態と同じなので説明は省略する。
【００３４】
なお、本体キャビネット２内の第１の照明装置２２の代わりに、例えば、図３のブロック図に示すように、ミラーキャビネット３内に第２の照明装置２３を設け、本体キャビネット開き戸２１の扉開閉検知スイッチ５２の代わりに、ミラーキャビネット開き戸に扉開閉検知スイッチ５２を設けても良い。
【００３５】
この場合の動作は、上述した第２の照明装置２３を本体キャビネット２内に設けた場合と同じなので説明は省略する。また、第２の照明装置２３を本体キャビネット２内又はミラーキャビネット３内のどちらに設けるかは、適宜決めればよい。
【００３６】
なお、第２の照明装置２３は、本体キャビネット２又はミラーキャビネット３内に設置する場所の規定はなく、使用者の要望に合わせ適宜決めればよい。
【図面の簡単な説明】
【００３７】
【図１】本発明の第１の実施形態に係る洗面化粧台の概略斜視図である。
【図２】同上の概略ブロック図である。
【図３】同上の回路図である。
【図４】（ａ）本発明の第１の実施形態に係る第１の照明装置が点灯している場合の構造を示す側断面図、（ｂ）は同上の第２の照明装置が点灯している場合の構造を示す側断面図である。
【図５】特開２００１−２２７０１１号公報に記載された吐水装置の概略断面図である。
【符号の説明】
【００３８】
１    洗面化粧台
２    本体キャビネット
２１  本体キャビネット開き戸
２２  第１の照明装置
２３  第２の照明装置
２６  カラン
２７  カラン吐出口
３    ミラーキャビネット
４    連結分材
５２  扉開閉検知スイッチ（制御部）
５３  人体検知センサ及び照度センサ（制御部）
６    水力発電ユニット
７    給水管
【図１】
2006006370.tif 000003
【図２】
2006006370.tif 000004
【図３】
2006006370.tif 000005
【図４】
2006006370.tif 000006
【図５】
2006006370.tif 000007